(57)【特許請求の範囲】
【請求項１】
第１の絞り羽根群と、
光軸回りで回転して前記第１の絞り羽根群を開閉方向に移動させる回転部材と、
前記第１の絞り羽根群よりも物体側に配置され、光軸方向に移動可能な可動部材と、
第２の絞り羽根群と、
該第２の絞り羽根群を開閉方向に移動させるアクチュエータとを有し、
前記第１の絞り羽根群は、前記第２の絞り羽根群よりも物体側に配置されており、
前記回転部材は、前記光軸方向に対して非平行に、かつ前記物体側に延出するアーム部を有し、
前記可動部材は、前記アーム部が係合する、前記アーム部の幅方向両端面に平行に対向する一対のガイド面を有するガイド部を有し、
前記可動部材が前記光軸方向に移動して、前記ガイド部の前記アーム部に対する前記光軸方向での係合位置が変化することにより前記回転部材が光軸回りで回転することを特徴とする光学機器。
【請求項２】
前記一対のガイド面のそれぞれに、前記アーム部の幅方向両端面に対向する突起が形成されていることを特徴とする請求項１に記載の光学機器。
【請求項３】
前記一対のガイド面のそれぞれの長手方向に並んで、前記アーム部の幅方向両端面に対向する複数の突起が形成されていることを特徴とする請求項１に記載の光学機器。
【発明の詳細な説明】
【技術分野】
【０００１】
本発明は、デジタルカメラ等の撮像装置や交換レンズを含む光学機器に関し、さらに詳しくはズーミングやフォーカシングに応じて光通過口の面積が変化する光量調節機構を有する光学機器に関する。
【背景技術】
【０００２】
上記のような光学機器において光量調節を行う絞りは、複数の絞り羽根を開閉方向に移動させて光通過口の面積（以下、絞り開口径という）を変化させることができ、絞り開口径は測光結果や使用者のマニュアル操作に応じて設定される。絞り羽根を開閉方向に移動させるために、ステッピングモータ等のアクチュエータが用いられる。
また、光学機器には、上記のように構成されて主として光量調節を担う主絞りと、ズーミングやフォーカシングに応じて開放絞り口径を補正するために主絞りとは別に設けられた副絞りが搭載される場合がある。副絞りにおいても、主絞りと同様に、複数の絞り羽根が開閉方向に移動される。ただし、主絞りと副絞りのそれぞれにアクチュエータを設けると、光学機器の小型化が妨げられる。
特許文献１〜３には、アクチュエータを用いることなく絞りを開閉動作させるための開閉機構を備えた光学機器が開示されている。
特許文献１にて開示された光学機器では、絞りに設けられた回転部材に、光軸方向に延出し、カム溝が形成されたカム部が設けられ、可動レンズに設けられたカムフォロワが該カム溝に係合している。可動レンズの光軸方向への移動に伴って、回転部材が光軸回りで回転し、絞り開口径が変化する。
また、特許文献２にて開示された光学機器では、１つのレンズ群が回転する構造を有し、該レンズ群の回転に連動して絞りに設けられた回転部材が回転することで、絞り開口径が変化する。
さらに、特許文献３にて開示された光学機器では、絞りが光軸方向に移動する構造を有し、絞りを収容した固定筒の内面に形成された絞り制御用カムと絞りに取り付けられた突起部とが係合する。絞りが光軸方向に移動して突起部が絞り制御用カムに沿って回転することで、絞り開口径が変化する。
【先行技術文献】
【特許文献】
【０００３】
【特許文献１】特開２００１−８３５６５号公報
【特許文献２】特開２００６−１５４４７３号公報
【特許文献３】特開２００７−２４８７７０号公報
【発明の概要】
【発明が解決しようとする課題】
【０００４】
前述したように主絞りと副絞りを備えた光学機器では、副絞りを主絞りよりも物体側に配置した方が光学機器の小型化が可能な場合がある。この場合に、特許文献１にて開示された絞りの開閉機構を用いると、回転部材と連動させる可動部材が物体側にあるか像面側にあるかで、光学機器の小型化と有害な光線漏れの防止性能のうちいずれかを満たせなくなる可能性がある。
具体的には、回転部材と連動させる可動部材が副絞りよりも像面側に設けられている場合、副絞りよりも像面側にある主絞りと回転部材に設けられた延出部とが光軸方向でオーバーラップする。これを回避するためには、副絞りの回転部材に設けられた延出部を外径側に広げる必要があり、この結果、小型化が難しくなる。
また、特許文献１の光学機器は、延出部にカムを、可動部材にカムフォロワを設けた構造を有するため、可動部材における延出部が回転する領域と干渉し得る部分には逃げ部を形成する必要がある。この場合、逃げ部が開口となってここを通って光線漏れが起きる可能性があるが、逃げ部が絞りよりも像面側にあるため、物体側にある場合に比べれば光線漏れの可能性は低い。
一方、回転部材と連動させたい可動部材が物体側に配置されている場合、主絞りと延出部とがオーバーラップすることはない。しかし、逃げ部が主絞りよりも物体側にあるため、該逃げ部を通じた光線漏れが生じる場合がある。
これに対し、特許文献２にて開示された光学機器では、フォーカス群に設けられたガイド部と回転部材の延出部とを係合させる構造を有するため、回転部材よりも物体側の可動部材と連動させる場合でも光線漏れは起きにくい。ただし、回転部材の延出部を光軸と平行に延出させた場合には、ガイド部と延出部との係合ガタの範囲で光線漏れが発生する可能性がある。
また、特許文献３にて開示された光学機器では、固定筒の内面に形成された絞り制御用カムと回転部材の突起部とを係合させる構造を有するため、有害な光線漏れの発生は回避できる。ただし、特許文献３にて開示された開閉機構は、絞り自体が光軸方向に移動しない場合には採用することができない。
本発明は、主絞りと副絞りとを有しながらも、小型で光線漏れを防止できるようにした光学機器を提供する。
【課題を解決するための手段】
【０００５】
本発明の一側面としての光学機器は、第１の絞り羽根群と、光軸回りで回転して第１の絞り羽根群を開閉方向に移動させる回転部材と、第１の絞り羽根群よりも物体側に配置され、光軸方向に移動可能な可動部材と、第２の絞り羽根群と、該第２の絞り羽根群を開閉方向に移動させるアクチュエータとを有する。第１の絞り羽根群は、第２の絞り羽根群よりも物体側に配置されている。回転部材は、前記光軸方向に対して非平行に、かつ物体側に延出するアーム部を有する。可動部材は、アーム部が係合する、前記アーム部の幅方向両端面に平行に対向する一対のガイド面を有するガイド部を有する。そして、可動部材が光軸方向に移動して、ガイド部のアーム部に対する光軸方向での係合位置が変化することにより回転部材が光軸回りで回転することを特徴とする。
【発明の効果】
【０００６】
本発明によれば、第２の絞り羽根群よりも物体側に配置された第１の絞り羽根群の移動を、第１の絞り羽根群よりも物体側に配置された可動部材の光軸方向への移動に連動させるようにすることで、光学機器の小型化を可能とする。さらに、回転部材から物体側に光軸方向とは非平行に延出するアーム部を、可動部材のガイド部に係合させることにより、可動部材において光が通過可能な凹形状又は開口形状に形成されるガイド部をアーム部によって塞ぐ形とする。これにより、ガイド部を通して有害光線が可動部材の物体側から像面側に進入して像面に到達することを防ぐことができる。
【図面の簡単な説明】
【０００７】
【図１】本発明の実施例１である交換レンズと該交換レンズが装着されるデジタル一眼レフカメラの断面図。
【図２】実施例１の交換レンズにおける第２鏡筒と絞りユニットの斜視図。
【図３】実施例１の交換レンズにおける第２鏡筒と絞りユニットの分解斜視図。
【図４】実施例１の交換レンズにおける第２鏡筒と絞りユニットの上面図。
【図５】実施例１の交換レンズにおける第２鏡筒と絞りユニットの正面図。
【図６】本発明の実施例２である交換レンズにおける第２鏡筒と絞りユニットの斜視図。
【図７】実施例２の交換レンズにおける第２鏡筒と絞りユニットの上面図。
【図８】実施例２における回転部材の正面図。
【発明を実施するための形態】
【０００８】
以下、本発明の実施例について図面を参照しながら説明する。
【実施例１】
【０００９】
図１には、本発明の実施例１である交換レンズと、該交換レンズが装着されたデジタル一眼レフカメラとにより構成されるカメラシステムの構成を示している。図１では、交換レンズの光軸（図中に一点鎖線で示す）が延びる方向をＺ方向とし、光軸に直交し、かつ互いに直交する２方向のうち横方向をＸ方向とし、縦方向をＹ方向としている。
【００１０】
１はカメラボディ（以下、単にカメラという）、２はカメラ１に装着された交換レンズである。まず、カメラ１の構造について説明する。図１で示した状態において、メインミラー３は交換レンズ２からの光束の光路上に配置され、その光束の一部を反射してファインダ光学系（７，８）に導き、残りの光束を透過させる。
【００１１】
メインミラー３の背後にはサブミラー４が配置されており、メインミラー３を透過した光束を反射して焦点検出ユニット５に導く。なお、メインミラー３およびサブミラー４は、不図示の駆動機構により上記光路から退避することが可能となっている。
【００１２】
焦点検出ユニット５は、ＡＦセンサを有し、位相差検出方式での焦点検出（交換レンズ２の焦点状態の検出）を行う機能を持つ。
【００１３】
ＡＦセンサは、入射した光束を２つに分割するセパレータレンズと、各分割光束を再結像させる２つの二次結像レンズと、結像した２つの被写体像をそれぞれ光電変換する２つの受光素子列（ラインセンサ）とにより構成されている。各ラインセンサは、複数の受光素子がＹ方向とＸ方向に延びる十字状に配列されて構成されており、被写体像をそのＹ方向とＸ方向での輝度分布に応じて光電変換する。
【００１４】
６はＣＣＤセンサ又はＣＭＯＳセンサにより構成された撮像素子である。撮像素子６の受光面（撮像面）上には、交換レンズ２からの光束により形成された被写体像が形成される。撮像素子６は、被写体像を光電変換して撮像信号を出力する。また、不図示の電子制御式フォーカルプレーンシャッタにより撮像素子６の露光量が制御される。
【００１５】
ファインダ光学系は、ペンタプリズム７と接眼レンズ８とにより構成されている。９はディスプレイパネルであり、撮像素子６からの撮像信号から生成された画像の他、様々な情報を表示する。
【００１６】
このような構成のカメラでは、不図示のレリーズボタンの操作がなされると、オートフォーカス処理や露出決定処理が行われた後、撮像素子６の露光とこれにより生成された画像の記録および表示動作が行われる。
次に、交換レンズ２について説明する。交換レンズ２内に収容された撮影光学系は、物体側（被写体側）から順に、固定レンズとしての第１レンズユニット１０１と、フォーカスレンズとしての第２レンズユニット１０２と、固定レンズとしての第３レンズユニット１０３とを含む。また、撮影光学系は、フォーカスレンズとしての第４レンズユニット１０４と、防振レンズとしての第５レンズユニット１０５と、固定レンズとしての第６レンズユニット１０６も含む。
さらに、撮影光学系は、絞りユニット１０７を含む。絞りユニット１０７は、第３レンズユニット１０３の前側（物体側）に配置されており、交換レンズ２内を通過してカメラ１に至る光量を調節する。
【００１７】
第２レンズユニット１０２および第４レンズユニット１０４は、フォーカスユニット１０８からの駆動力を受けて光軸方向に移動し、焦点調節を行う。
【００１８】
２１は固定筒であり、案内筒２２用の取り付け部２１ａと、外装環３０用の取り付け部（図示せず）と、防振ユニット３９用の取り付け部（図示せず）と、第６鏡筒３６用の取り付け部２１ｂと、電気回路基板４２用の取り付け部（図示せず）とを有する。電気回路基板４２には、交換レンズの動作を制御したり各種演算を行ったりするための電気回路が構成されている。
【００１９】
案内筒２２用の取り付け部２１ａには、案内筒２２がねじ等を用いて固定され、外装環３０用の取り付け部には、外装環３０とマウント４０がねじ等を用いて固定される。また、防振ユニット３９用の取り付け部には、防振ユニット３９が不図示のコロを介して固定されており、第６鏡筒３６用の取り付け部２１ｂには、第６鏡筒３６がねじ等を用いて固定される。
２２は案内筒であり、それぞれ光軸方向に延びる第１直進溝２２ａおよび第２直進溝２２ｂと、固定筒２１に対する取り付け部２２ｃと、前側固定筒２３に対する取り付け部２２ｄと、角速度や加速度を検出するセンサ用の取り付け部２２ｅとを有する。
また、案内筒２２は、フォーカスユニット用の取り付け部（図示せず）と、第３鏡筒３３用の取り付け部（図示せず）と、カム筒２４のスラスト方向への移動を阻止するバヨネット部２２ｆとを備える。
第１直進溝２２ａは、第２鏡筒３２の光軸方向への直進案内を行い、第２直進溝２２ｂは第４鏡筒３４の直進案内を行う。第３鏡筒３３用の取り付け部と第３鏡筒３３は、不図示のコロを介して固定される。
また、案内筒２２には、カム筒２４に取り付けられたフォーカスコロ（図示せず）の軌跡からオフセットした切り欠き部（図示せず）が形成されている。また、案内筒２２は、後述する絞りユニット１０７へ電力を供給するフレキシブルプリント基板を保持する保持板用の取り付け部（図示せず）を有する。
【００２０】
２３は前側固定筒であり、案内筒２２用の取り付け部２３ａと、前枠２８用の取り付け部２３ｂと、第１鏡筒３１用の取り付け部（図示せず）とを有する。第１鏡筒３１用の取り付け部は、光軸方向への第１鏡筒３１の移動を阻止する移動阻止部と、第１鏡筒３１に取り付けられた、該第１鏡筒３１の前側固定筒２３に対する偏芯調整用の偏芯コロが当接する当接部とにより構成されている。
２４はカム筒であり、第１カム溝２４ａと、第２カム溝２４ｂと、フォーカスコロ（図示せず）用の取り付け部（図示せず）と、案内筒２２のバヨネット部２２ｆが係合する係合部２４ｃとを有する。カム筒２４は、案内筒２２の内側に配置され、その前端と後端とで案内筒２２に周方向に接している。
２５，２６はそれぞれ、第１カムフォロワおよび第２カムフォロワである。カムフォロア２５は、第２鏡筒３２に固定され、カム筒２４の第１カム溝２４ａと案内筒２２の第１直進溝２２ａとに係合する。カムフォロア２６は、第４鏡筒３４に固定され、カム筒２４の第２カム溝２４ｂと案内筒２２の第２直進溝２２ｂとに係合する。
フォーカスユニット１０８を駆動すると、フォーカスユニット１０８の出力部である不図示のキー部が光軸回りで回転する。該キー部はフォーカスコロ（図示せず）に係合しており、フォーカスユニット１０８の駆動力がフォーカスコロが取り付けられたカム筒２４に回転力として伝達される。カム筒２４の回転により、第２鏡筒３２はカムフォロア２５を介して第１直進溝２２ａと第１カム溝２４ａの相対関係に従いながら光軸方向に移動する。
第４鏡筒３４も、同様に、カムフォロア２６を介して第２直進溝２２ｂと第２カム溝２４ｂの相対関係に従いながら光軸方向に移動する。
【００２１】
２７はフォーカス環であり、フォーカスユニット１０８に固定されたコロ（図示せず）と係合して該フォーカス環２７の光軸方向の移動を阻止しつつ回転可能に保持する案内溝部２７ａを有する。また、フォーカス環２７は、フォーカスユニット１０８の突起部（図示せず）に係合して、フォーカス環２７の回転をフォーカスユニット１０８に伝達する溝部２７ｂを有する。
フォーカスユニット１０８は、不図示の駆動源と、前述したキー部と、フォーカス環２７と係合する前述した突起部とを有する。駆動源と電気回路基板４２とは、フレキシブルプリント基板等で接続されていて、電気回路基板４２からの駆動信号によって駆動源が駆動される。
【００２２】
２８は前枠であり、前側固定筒２３に対する取り付け部２８ａと、フィルタ等のアクセサリを装着するためのネジ部２８ｂと、フード等のアクセサリを装着するためのツバ部２８ｃとを有する。
【００２３】
２９は化粧環であり、前枠２８のネジ部２８ｂにねじ込まれて固定される。
【００２４】
３０は外装環であり、装飾のために内部部品を覆うカバー部材である。外装環３０には、フォーカス機能や防振機能の切り換えを行うための操作部材（図示せず）が取り付けられている。
３１は第１鏡筒であり、前側固定筒２３に当接する当接部と、不図示のコロが固定されるコロ取り付け部（図示せず）とを有する。
３２は光軸方向に移動可能な可動部材としての第２鏡筒であり、その外周に、第１カムフォロア２５を固定する座部３２ａと、副絞りユニット３８のアーム部３８ｃと係合するガイド部３２ｂとを有する。
３３は第３鏡筒であり、不図示のコロを介して案内筒２２に固定される取り付け部（図示せず）を有する。また、第３鏡筒３３は、主絞りユニット３７と副絞りユニット３８とにより構成される絞りユニット１０７が固定される取り付け部（図示せず）を有するとともに、主絞りユニット３７の駆動部（図示せず）を囲む形状を有する。
３４は第４鏡筒であり、第２カムフォロア２６を固定する座部３４ａを有する。
【００２５】
３５は第５鏡筒であり、防振ユニット３９の駆動部３９ａによって光軸に直交する面内でシフトして手振れ等に起因する像振れを補正（低減）する。
【００２６】
３６は第６鏡筒であり、固定筒２１に固定される取り付け部３６ａを有する。
第１鏡筒３１〜第６鏡筒３６はそれぞれ、第１レンズユニット１０１〜第６レンズユニット１０６を保持する。
【００２７】
３７は主絞りユニットであり、第３鏡筒３３の物体側に配置されている。主絞りユニット３７は、複数の絞り羽根（第２の絞り羽根群：以下、主絞り羽根群という）３７ａと、これら主絞り羽根群３７ａを開閉方向に駆動するための駆動源である絞りアクチュエータ（図２中の３７ｂ参照）とを有する。主絞りユニット３７には、不図示のフレキシブルプリント基板の一端が接続され、その他端は電気回路基板４２に接続されている。電気回路基板４２からの駆動信号により、絞りアクチュエータが駆動され、主絞り羽根群３７ａが開閉方向に移動されることで、該主絞り羽根群３７ａによって形成される光通過口としての絞り開口の面積（以下、主絞り開口径という）が変更される。
【００２８】
３８は副絞りユニットであり、主絞りユニット３７よりも物体側に配置されている。副絞りユニット３８は、複数の絞り羽根（第１の絞り羽根群：以下、副絞り羽根群という）３８ａと、該副絞り羽根群３８ａを開閉方向に移動させるために光軸回りで回転する回転部材３８ｂとを有する。回転部材３８ｂからはアーム部３８ｃが物体側に延出しており、該アーム部３８ｃは、第２鏡筒３２のガイド部３２ｂと係合している。ガイド部３２ｂにおける幅方向両側（第２鏡筒３２の周方向における両側）には、アーム部３８ｃの幅方向両端面に対向する一対のガイド面が形成されており、各ガイド面には、アーム部３８ｃの幅方向両端面に当接する突起が１つずつ形成されている。
フォーカシングのために第２鏡筒３２が光軸方向に直進移動することで、アーム部３８ｃを介して回転部材３８ｂが回転し、副絞り羽根群３８ａが開閉方向に移動される。
副絞りユニット３８を主絞りユニット３７よりも物体側へ配置するのは、以下の理由による。主絞りユニット３７を物体側に配置した場合には、主絞りユニット３７の駆動部（絞りアクチュエータを含む部分）が物体側へ飛び出す形となるため、案内筒２２のバヨネット部２２ｆを外径側にシフトする必要がある。そして、このことは、フォーカスユニット１０８を本実施例での位置に配置するためには、交換レンズの全長を長くしたり外径を大きくしたりする必要が生じる。このことから、副絞りユニット３８を主絞りユニット３７よりも物体側に配置する方が、交換レンズの小型化を達成しやすい。
【００２９】
防振ユニット３９は、光軸に直交する面（以下、シフト面という）内で第５鏡筒３５をシフトさせる駆動部３９ａを有する。駆動部３９ａには、不図示のフレキシブルプリント基板の一端が接続され、その他端は電気回路基板４２に接続されている。電気回路基板４２からの駆動信号によって駆動分３９ａが駆動され、第５鏡筒３５がシフト面内でシフトされる。
【００３０】
４０はマウント部材であり、開口部４０ａと、カメラ本体へのバヨネット結合を可能とするためのバヨネット爪４０ｂと、固定筒２１にビスにより固定される座部（図示せず）とを有する。マウント部材４０の開口部４０ａの内側には裏蓋４３が取り付けられており、該裏蓋４３の内周面（光路に面する面）には、反射防止処理がなされている。
【００３１】
４１はマウント部材４０に取り付けられた接点部材であり、電気回路基板４２に接続された接点ピン４１ａを保持している。接点ピン４１ａは、該交換レンズがカメラ本体に装着されたときにカメラ本体側の接点ピン（図示せず）と接触して、カメラ本体との情報伝達を可能とする。
【００３２】
図２、図３、図４および図５を用いて、第２鏡筒３２と絞りユニット１０７について説明する。前述したように、絞りユニット１０７は、主絞りユニット３７と副絞りユニット３８とにより構成される。
副絞りユニット３８は、副絞り羽根群３８ａと、光軸回りで回転して副絞り羽根群３８ａを開閉方向に移動させる回転部材３８ｂと、該回転部材３８ｂから物体側に延出し、第２鏡筒３２のガイド部３２ｂと係合するアーム部３８ｃとを有する。
主絞りユニット３７は、主絞り羽根群３７ａと、該主絞り羽根群３７ａを開閉方向に移動させるステッピングモータ等の絞りアクチュエータ３７ｂと、主絞り羽根群３７ａの駆動用カム溝（図示せず）が形成されたベース部材３７ｃとを有する。また、主絞りユニット３７は、ベース部材３７ｃとの間で主絞り羽根群３７ａを押さえる押さえ板３７ｄとを有する。ベース部材３７ｃには、副絞り羽根群３８ａを移動させるための穴等も形成されている。押さえ板３７ｄは、第３鏡筒３３における絞りユニット１０７用の取り付け部３３ａにビス等により固定される。また、絞りアクチュエータ３７ｂには、電気回路基板４２からの駆動信号を供給するためのフレキシブルプリント基板３７ｅが接続されている。
図４中のＡは、アーム部３８ｃの幅方向の中心軸を示している。図５中のＢは、中心軸Ａを物体側から見て示している。これらの図から分かるように、アーム部３８ｃ（の中心軸）は、交換レンズの光軸に対して非平行、言い替えれば螺旋状に延びている。このため、第２鏡筒３２が光軸方向に直進移動して、第２鏡筒３２のガイド部３２ｂのアーム部３８ｃに対する光軸方向（アーム部３８ｃの長手方向）での係合位置が変化することにより、回転部材３８ｂが光軸回りで回転する。この結果、副絞り羽根群３８ａが開閉方向に移動される。
また、このとき、第２鏡筒３２のガイド部３２ｂの位置（ガイド部３２ｂのアーム部３８ｃとの係合位置）は光軸回り方向にて変化しない。このため、第２鏡筒３２と副絞りユニット３８との光軸方向の間隔（距離）に応じて回転部材３８ｂの回転位置、つまりは副絞り羽根群３８ａの開閉位置を高精度に制御することができる。
本実施例では、図４に示すように、アーム部３８ｃを光軸に対して一定の傾き角を有するように光軸に対して非平行に形成している。これにより、第２鏡筒３２と副絞りユニット３８との光軸方向の間隔に比例した回転量だけ回転部材３８ｂが回転する。しかし、アーム部の光軸に対する傾き角をアーム部の長手方向で変化させて、第２鏡筒と副絞りユニットとの光軸方向の間隔が大きく又は小さくなるに従って回転部材の回転量が増加又は減少するようにしてもよい。
また、本実施例では、アーム部３８ｃは副絞りユニット３８から物体側に延出しているので、副絞りユニット３８よりも像面側に配置された主絞りユニット３７をアーム部３８ｃが通過することがなく、この結果、絞りユニット１０７の径方向の小型化を実現できる。
さらに、第２鏡筒３２のガイド部３２ｂは物体側からの光が通過し得る凹部、すなわち開口部を有する。しかし、本実施例では、該ガイド部３２ｂに光軸に対して非平行な（螺旋状の）アーム部３８ｃを係合させているので、該開口部をほぼ塞ぐことができ、該開口部を通過して撮像面に到達する有害光の発生（光線漏れ）を防止することができる。
また、本実施例では、ガイド部３２ｂはアーム部３８ｃと幅方向（周方向）で係合しており、径方向においては部品の寸法のばらつきによってガイド部３２ｂとアーム部３８ｃとが互いに接触しない程度のクリアランスを持たせている。これは、ガイド部３２ｂとアーム部３８ｃとの間の摺動摩擦を小さくするためである。
上記クリアランスからの光線漏れについて説明する。ガイド部３２ｂは、光軸方向にある厚さを持った溝形状部（凹部）として第２鏡筒３２に形成されている。このため、ガイド部３２ｂとアーム部３８ｃのうち該クリアランスに面した表面で反射することなく該クリアランスを通過して像面側に進む光線はきわめて狭い角度範囲にしか存在しない。しかも、このような非反射光線も反射光線のいずれも、該クリアランスを通過したとしても大部分が回転部材３８ｂにより遮られてそれ以上は像面側に進まない。したがって、該クリアランスからの光線漏れはほとんど問題にならない。なお、反射光線の強度を弱めるために、ガイド部３２ｂとアーム部３８ｃのうち該クリアランスに面した表面に反射防止処理を施してもよい。
また、本実施例では、ガイド部３２ｂの幅方向両側のガイド面にアーム部３８ｃに当接する突起を形成しているが、ガイド部３２ｂの底面にもアーム部３８ｃの下面に当接する突起を設ければ、光線漏れをより効果的に防止することができる。
さらに、本実施例では、第２鏡筒３２において、ガイド部３２ｂは、カメラシステムが正位置の姿勢（ファインダ光学系が交換レンズ２よりも上に位置する姿勢、又は図１にて重力が−Ｙ方向に作用する姿勢）で構えられた状態で上となる位相に形成されている。一般的な撮影においては太陽や輝度の高い光源がカメラシステムよりも上方に位置する。この場合に、カメラシステムが正姿勢で構えられてガイド部３２ｂの位相が上となっていれば、交換レンズ２においてガイド部３２ｂよりも物体側に配置された部材が上方から入射する光を遮るため、ガイド部３２ｂに光が到達しにくくなる。これにより、ガイド部３２ｂを通じた光線漏れをより効果的に防止できる。
また、本実施例では、ガイド部３２ｂがアーム部３８ｃと係合する箇所を突起形状に形成しているが、面で摺動するように形成してもよい。
【実施例２】
【００３３】
本発明の実施例２について、図６、図７および図８を用いて説明する。
本実施例では、図６および図７に示すように、第２鏡筒３２のガイド部３２ｂにおける幅方向両側の一対のガイド面のそれぞれに、アーム部３８ｃの長手方向に並んで該アーム部３８ｃの幅方向端面に当接する複数の突起３２ｃが形成されている。各ガイド面に複数の突起３２ｃを設けることで、各ガイド面に突起を１つのみ設けた実施例１と比べて、ガイド部３２ａを通した光線漏れをより少なくすることができる。
また、本実施例では、図６および図８に示すように、回転部材３８ｂにおけるアーム部３８ｃの根元部分に切り欠き部３８ｄを形成している。切り欠き部３８ｄを設けることにより、回転部材３８ｂが合成樹脂の射出成形品である場合には、これを光軸方向の型スライドのみによって形成することができる。これにより、回転部材３８ｂを低コストで製作することができる。
【００３４】
以上説明したように、上記各実施例では、主絞りユニット３７よりも物体側に配置された副絞りユニット３８の回転部材３８ｂから物体側に光軸方向に非平行にアーム部３８ｃを延出させている。そして、アーム部３８ｃを、副絞りユニット３８よりも物体側に配置した第２鏡筒３２のガイド部３２ｂと係合させ、第２鏡筒３２が副絞りユニット３８に対して光軸方向に移動することで、副絞り羽根群３８ａが開閉移動されるように構成している。これにより、副絞りユニット３８およびこれを含む絞りユニット１０７全体の小型化、ひいては絞りユニット１０７を搭載した交換レンズの小型化を図ることができる。しかも、本実施例では、ガイド部３２ｂを通した光線漏れを効果的に防止することができる。
【００３５】
なお、上記各実施例では、副絞りユニット３８の開閉をフォーカシングによる第２鏡筒３２の光軸方向への移動に連動させる場合について説明したが、ズーミングによって移動する鏡筒（可動部材）の移動と連動させるようにしてもよい。
【００３６】
さらに、上記各実施例では、レンズ交換式カメラシステムに用いられる交換レンズについて説明したが、本発明は、レンズ一体型のデジタルカメラやビデオカメラのレンズ鏡筒にも適用することができる。
以上説明した各実施例は代表的な例にすぎず、本発明の実施に際しては、各実施例に対して種々の変形や変更が可能である。
【産業上の利用可能性】
【００３７】
主および副絞りユニットを有しながらも、小型の光学機器を提供することができる。
【符号の説明】
【００３８】
１  カメラ
２  交換レンズ
１０１〜１０６  第１〜第６レンズユニット
１０７  絞りユニット
３２  第２鏡筒
３２ａ  ガイド部
３７  主絞りユニット
３７ａ  主絞り羽根群
３８  副絞りユニット
３８ａ  副絞り羽根群
３８ｂ  回転部材
３８ｃ  アーム部
【図１】
0005464939.tif 000002
【図２】
0005464939.tif 000003
【図３】
0005464939.tif 000004
【図４】
0005464939.tif 000005
【図５】
0005464939.tif 000006
【図６】
0005464939.tif 000007
【図７】
0005464939.tif 000008
【図８】
0005464939.tif 000009